(57)【特許請求の範囲】
【請求項１】
上端が開放し、下端が底板によって閉鎖された円筒形の外側本体と、
前記外側本体の前記底板から所定高さのところに前記底板と平行に取り付けられ、前記外側本体を上方部分と下方部分とに区分けするメッシュ板と、
上端及び下端が開放し、前記上方部分内で前記外側本体に対して回転可能となるように前記上方部分内に配置された円筒形の内側本体と、
上端が閉鎖し下端が開放したほぼ円筒形を有し、前記内側本体の中央に配置されたメッシュ材製の集液筒と、
前記内側本体の内部に配置され、外端が前記内側本体の内壁に固定され、内端が前記集液筒の外壁に固定された複数の攪拌羽根と、
前記内側本体の内部に充填されたおがくず及び嫌気性微生物とを備え、
前記内側本体を回転させると、前記集液筒及び前記攪拌羽根も一緒に回転するように構成されていることを特徴とする排泄物処理システム。
【請求項２】
前記攪拌羽根が、外端から内端に向かって下方に傾斜するように取り付けられていることを特徴とする請求項１に記載された排泄物処理システム。
【請求項３】
前記集液筒の上端の縁部が、丸味を帯びた形状に形作られていることを特徴とする請求項１又は２に記載された排泄物処理システム。
【発明の詳細な説明】
【技術分野】
【０００１】
本発明は、排泄物処理システムに関する。本発明の排泄物処理システムは、災害時や登山等のアウトドア活動時、病室や介護施設等で使用される携帯用トイレとして利用され、車両搭載用としても用いられる。
【背景技術】
【０００２】
糞尿等を含んだトイレ排水を処理する方法として、（１）汲み取り式トイレ、（２）水洗式トイレ、（３）簡易浄化式トイレ、（４）微生物利用トイレ、（５）曝気槽型トイレ等、種々の方式が知られている。
【発明の概要】
【発明が解決しようとする課題】
【０００３】
上述の（１）〜（３）の方式のトイレは、不衛生である、悪臭を放つ、ハエ等の害虫が発生する、水害時に槽から汚水が溢れ出て伝染病の発生源となることもあり得る、等の課題を有している。また、（４）の方式のトイレは基本的に、好気性微生物を使用しているので、汲み取り処理をしなければならず、手間と費用を要するという事情がある。また、（５）の方式のトイレは、設置箇所が狭い場合には設置が困難である、寒冷地における使用では冬期に凍結する可能性がある、等の課題を有している。さらに、いずれの方式も、携帯や移動に不便であるという課題を有している。
【０００４】
本発明は、上述のような従来技術のシステムの課題を克服し、特に携帯や移動に便利な排泄物処理システムを提供することを目的としている。
【課題を解決するための手段】
【０００５】
本願請求項１に記載の排泄物処理システムは、上端が開放し、下端が底板によって閉鎖された円筒形の外側本体と、前記外側本体の前記底板から所定高さのところに前記底板と平行に取り付けられ、前記外側本体を上方部分と下方部分とに区分けするメッシュ板と、上端及び下端が開放し、前記上方部分内で前記外側本体に対して回転可能となるように前記上方部分内に配置された円筒形の内側本体と、上端が閉鎖し下端が開放したほぼ円筒形を有し、前記内側本体の中央に配置されたメッシュ材製の集液筒と、前記内側本体の内部に配置され、外端が前記内側本体の内壁に固定され、内端が前記集液筒の外壁に固定された複数の攪拌羽根と、前記内側本体の内部に充填されたおがくず及び嫌気性微生物とを備え、前記内側本体を回転させると、前記集液筒及び前記攪拌羽根も一緒に回転するように構成されていることを特徴とするものである。
【０００６】
本願請求項２に記載の排泄物処理システムは、前記請求項１のシステムにおいて、前記攪拌羽根が、外端から内端に向かって下方に傾斜するように取り付けられていることを特徴とするものである。
【０００７】
本願請求項３に記載の排泄物処理システムは、前記請求項１又は２のシステムにおいて、前記集液筒の上端の縁部が、丸味を帯びた形状に形作られていることを特徴とするものである。
【発明の効果】
【０００８】
本発明の排泄物処理システムによれば、排泄物を固形分と液体分とに分離する固液分離処理を行い、固形分を嫌気性微生物とおがくずを用いて生物濾過及び物理的濾過を行うので、排泄物の効率的な処理を実現することができる。本発明の排泄物処理システムは、構造が比較的簡単かつ軽量であるので、携帯式又は移動式のシステムとして利用できる。
【図面の簡単な説明】
【０００９】
【図１】本発明の好ましい実施の形態に係る排泄物処理システムの全体を示した斜視図である。
【図２】図１の線２−２に沿って見た断面図である。
【図３】図２の線３−３に沿って見た平面図である。
【図４】図２において外側本体と内側本体を分離して示した断面図である。
【図５】図１において外側本体と内側本体を分離して示した斜視図である。
【図６】集液筒の斜視図である。
【図７】図２の部分７の拡大図である。
【図８】攪拌羽根の変形形態を示した斜視図である。
【発明を実施するための形態】
【００１０】
次に、図面を参照して、本発明の好ましい実施の形態に係る排泄物処理システムについて詳細に説明する。図１は、本発明の好ましい実施の形態に係る排泄物処理システムの全体を示した斜視図である。図１において全体として参照符号１０で示される排泄物処理システムは、蓋１２ａ付きケース１２内に収容された円筒形の外側本体１４を備えている（図面の簡単化のため、図２以降の図面では、ケース１２は図示されていない）。外側本体１４の上端は開放され、下端は底板１４ａによって閉鎖されている。外側本体１４は、任意の公知材料で形成されているが、防錆の観点から、合成樹脂材料で形成するのが好ましい。
【００１１】
外側本体１２は、図２に示されるように、底板１４ａから高さＨのところに底板１４ａと平行に取り付けられたメッシュ板１６によって、上方部分Ａと下方部分Ｂとに区分けされている。メッシュ板１６は、プラスチック等の合成樹脂材料で被覆された金網で形成するのが好ましい。
【００１２】
排泄物処理システム１０はまた、外側本体１４の上方部分Ａの内部に配置された円筒形の内側本体１８を備えている。内側本体１８の上端と下端は、開放している。外側本体１４の内面と内側本体１８の外面との間には、軸受２０が配置されており、これにより内側本体１８は、外側本体１４の上方部分Ａ内で回転可能になっている。内側本体１８も、外側本体１４と同様に、任意の公知材料で形成されているが、防錆の観点から、合成樹脂材料で形成するのが好ましい。
【００１３】
排泄物処理システム１０はまた、内側本体１８の中央に配置された集液筒２２を備えている。集液筒２２は、図６に明瞭に示されるように、上端２２ａが閉鎖し下端２２ｂが開放した全体として円筒形を有し、メッシュ材で形作られており、メッシュ板１６と同様に、プラスチック等の合成樹脂材料で被覆された金網で形成されている。好ましくは、集液筒２２の上端２２ａは、固形物が上端２２ａの上に残置せずに滑り落ちやすいように、縁部が丸味を帯びている。
【００１４】
排泄物処理システム１０はまた、内側本体１８の内部に水平方向に延びるように配置された複数の攪拌羽根２６を備えており、攪拌羽根２６の外端２６ａが内側本体１８の内壁に固定され、内端２６ｂが集液筒２２の外壁に固定されている。
【００１５】
排泄物処理システム１０はまた、メッシュ板１６のほぼ中央に配置され、集液筒２２の下端２２ｂが載せられ、集液筒２２を回転可能に支持する集液筒支持部材２４を備えている。集液筒支持部材２４は、図５、図７等に示されるように、中央に開口２４ｂが設けられた円板２４ａと、円板２４ａの周囲に配置された周壁２４ｃとを有しており、集液筒２２の下端２２ｂが円板２４ａ上に載っている。これにより、集液筒２２の内部と外側本体１４の下方部分Ｂとが連通しており、かつ、集液筒２２が集液筒支持部材２４から脱落せずに回転するようになっている。
【００１６】
排泄物処理システム１０はさらに、内側本体１８の内部に充填されたおがくず２と嫌気性微生物（図示せず）を備えている（図２参照）。
【００１７】
以上のように構成された排泄物処理システム１０の作動について説明する。システム１０の使用時に、排泄物が内側本体１８内に落下する。落下した排泄物のうち尿や水等の液体分の大半は、内側本体１８内のおがくず２８を通過して集液筒２２内に流入し、次いで集液筒２２の下端２２ｂを通って下方部分Ｂに至る。一方、排泄物のうち糞等の固形分及び液体分の残りは、おがくず２８及び嫌気性微生物が充填されている内側本体１８内に留まる。この状態で把手１８ａを持って内部本体１８を回転させる。すると、内側本体１８内に留まっている固形分及び液体分の残りが攪拌羽根２６により攪拌されて効率的に生物濾過が行われるとともに、おがくず２８自体に液体分が滲み込んで物理的な濾過が行われる。このようにして処理された固形分は適宜、内側本体１８の排出口１８ｂ及び上方部分Ａの排出口Ａ１から排出される。一方、下方部分Ｂに溜まった液体分は、下方部分Ｂの排出口Ｂ１から排出される。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
例えば、前記実施形態では、攪拌羽根２６は水平方向に延びるように取り付けられているが、図８に示されるように、外端２６ａから内端２６ｂに向かって下方に傾斜するように攪拌羽根２６を取り付けてもよい。攪拌羽根２６をこのように傾斜して取り付けた方が、攪拌効率が向上する。
【００２０】
また、前記実施形態では、内側本体１８を手動で回転させているが、モータを設置し、モータの作動により内側本体１８を回転させるようにしてもよい。さらに、図示されているシステムの寸法や細部などは、単なる例示的なものにすぎない。
【符号の説明】
【００２１】
１０  排泄物処理システム
１２  ケース
１２ａ  蓋
１４  外側本体
１４ａ  底板
１６  メッシュ板
１８  内側本体
１８ａ  把手
１８ｂ  排出口
２０  軸受
２２  集液筒
２２ａ  上端
２２ｂ  下端
２４  集液筒支持部材
２４ａ  円板
２４ｂ  開口
２４ｃ  周壁
２６  攪拌羽根
２６ａ  外端
２６ｂ  内端
２８  おがくず
Ａ    上方部分
Ａ１  排出口
Ｂ    下方部分
Ｂ１  排出口
【図１】
0006490462.tif 000002
【図２】
0006490462.tif 000003
【図３】
0006490462.tif 000004
【図４】
0006490462.tif 000005
【図５】
0006490462.tif 000006
【図６】
0006490462.tif 000007
【図７】
0006490462.tif 000008
【図８】
0006490462.tif 000009